(57)【要約】      （修正有）【課題】ユーザがトレイにディスクを載置する際に、異なる径のディスクをそれぞれ所定の位置に設置する必要がなく、操作性に優れたディスクドライブ装置を提供する。【解決手段】異なる径のディスクを配置可能なトレイ部０２０１と、各径のディスクを配置したトレイを装置内に引き込み駆動する駆動部と、引き込み動作に応じてディスク端縁を支えながらディスク読取所定位置に移動するディスクガイドアーム０２０４，０２０５と、ディスクガイドアームに配置されるスライド突起と、ディスクガイドアームへのディスク当接タイミングに応じてスライド突起に選択されるべき複数のスライド溝を備えたスライドレバーとを有する。【選択図】図２
2009223960.tif 000002
【特許請求の範囲】
【請求項１】
異なる径のディスクを区別してそれぞれ正位置にローディング可能な縦置トレイ方式のディスクドライブ装置であって、
異なる径のディスクを配置可能なトレイ部と、
各径のディスクを配置したトレイを装置内に引き込み駆動する駆動部と、
引き込み動作に応じてディスク端縁を支えながらディスク読取所定位置に移動するディスクガイドアームと、
ディスクガイドアームに配置されるスライド突起と、
トレイの駆動によって装置内に引き込まれ、ディスクガイドアームのスライド突起を引き込み動作によりスライドさせることでディスクガイドアームをディスク径に応じたディスク読取所定位置に移動させる溝であって、ディスクガイドアームへのディスク当接タイミングに応じてスライド突起に選択されるべき複数のスライド溝を備えたスライドレバーとを有するディスクドライブ装置。
【請求項２】
トレイ引き込み動作において、比較的大径のディスクではディスク載置時の高さを維持し、比較的小径のディスクでは正位置の高さとなるようにディスクガイドアームが移動することでスライド溝を選択することを特徴とする請求項１に記載のディスクドライブ装置。
【請求項３】
スライドレバーはスライド溝の終端に傾斜部を有し、ディスクをディスク読取所定位置に移動させた後にスライドレバーを移動させることによりスライド突起を傾斜部まで移動させてディスクガイドアームをディスクから退避させるようにした請求項１または２に記載のディスクドライブ装置。
【請求項４】
ディスクガイドアームは、それぞれトレイ上に軸支されており、トレイの引き込み動作に応じてゆるむことで、ディスクガイドアームに連結しているばねを介して軸を支点として回動するように構成され、
前記ディスクガイドアームの回動によって、前記比較的小径のディスクに対する当接動作が行われる請求項１から３のいずれか一に記載のディスクドライブ装置。
【請求項５】
トレイにはトレイとともにディスクを緩やかに挟みこみディスク載置時のディスク転倒を防止するように構成されたディスクポケットを有する請求項１から４のいずれか一に記載のディスクドライブ装置。
【発明の詳細な説明】
【技術分野】
【０００１】
本件発明は、ディスクドライブ装置に関し、特に、異なる径のディスクを区別してそれぞれ正位置にローディング可能な縦置トレイ方式のディスクドライブ装置に関する。
【背景技術】
【０００２】
ディスクをトレイにて装置内に搬送するローディング機構を備えたディスクドライブ装置の分野において、例えば８ｃｍ、１２ｃｍといった異なる径のディスクをトレイ上で支持し、装置内に搬送する縦置き式のディスクドライブ装置が知られている。この種のディスクドライブ装置は、装置を大型化することなく異種のディスクを選択して装着することができる点で便利なものである。例えば、特許文献１には、トレイに８ｃｍ／１２ｃｍ用の載置面を有し、トレイ上にディスクを横方向に押圧する手段ディスク固定手段と、固定手段に連結され８ｃｍディスクを固定支持するアタッチメントを有し、縦置き状態で８ｃｍのディスクと１２ｃｍのディスクの切換えを行う切換手段を有するディスクドライブ装置が開示されている（特許文献１参照）。
【特許文献１】特開平８‐０４５１５７号公報
【発明の開示】
【発明が解決しようとする課題】
【０００３】
しかし、従来の装置の場合、ユーザがトレイにディスクを載置する際に、８ｃｍ、１２ｃｍそれぞれ所定の位置に設置する必要があり、操作が煩雑であった。また、縦置き時に８ｃｍと１２ｃｍとで切換えを行わなければならないため、この点でも操作性に難があった。さらに、ユーザによる誤操作によって破損等が生じるおそれもあった。
【０００４】
そこで、本件発明の解決すべき課題は、ユーザがトレイにディスクを載置する際に、異なる径のディスクをそれぞれ所定の位置に設置する必要がなく、操作性に優れたディスクドライブ装置を提供することにある。
【課題を解決するための手段】
【０００５】
以上の課題を解決するため、本件発明のうち、第一の発明は、異なる径のディスクを区別してそれぞれ正位置にローディング可能な縦置トレイ方式のディスクドライブ装置であって、異なる径のディスクを配置可能なトレイ部と、各径のディスクを配置したトレイを装置内に引き込み駆動する駆動部と、引き込み動作に応じてディスク端縁を支えながらディスク読取所定位置に移動するディスクガイドアームと、ディスクガイドアームに配置されるスライド突起と、トレイの駆動によって装置内に引き込まれ、ディスクガイドアームのスライド突起を引き込み動作によりスライドさせることでディスクガイドアームをディスク径に応じたディスク読取所定位置に移動させる溝であって、ディスクガイドアームへのディスク当接タイミングに応じてスライド突起に選択されるべき複数のスライド溝を備えたスライドレバーとを有するディスクドライブ装置を提供する。
また、第二の発明は、第一の発明を基礎として、トレイ引き込み動作において、比較的大径のディスクではディスク載置時の高さを維持し、比較的小径のディスクでは正位置の高さとなるようにディスクガイドアームが移動することでスライド溝を選択することを特徴とするディスクドライブ装置を提供する。
また、第三の発明は、第一または第二の発明を基礎として、スライドレバーはスライド溝の終端に傾斜部を有し、ディスクをディスク読取所定位置に移動させた後にスライドレバーを移動させることによりスライド突起を傾斜部まで移動させてディスクガイドアームをディスクから退避させるようにしたディスクドライブ装置を提供する。
また、第四の発明は、第一から第三のいずれか一の発明を基礎として、ディスクガイドアームは、それぞれトレイ上に軸支されており、トレイの引き込み動作に応じてゆるむことで、ディスクガイドアームに連結しているばねを介して軸を支点として回動するように構成され、前記ディスクガイドアームの回動によって、前記比較的小径のディスクに対する当接動作が行われるディスクドライブ装置を提供する。
また、第五の発明は、第一から第四のいずれか一の発明を基礎として、トレイにはトレイとともにディスクを緩やかに挟みこみディスク載置時のディスク転倒を防止するように構成されたディスクポケットを有するディスクドライブ装置を提供する。
【発明の効果】
【０００６】
本件発明により、ユーザがトレイにディスクを載置する際に、異なる径のディスクをそれぞれ所定の位置に設置する必要がなく、操作性に優れたディスクドライブ装置を提供することが可能となる。
【発明を実施するための最良の形態】
【０００７】
以下に、本件発明の実施例を説明する。なお、本件発明はこれら実施例に何ら限定されるものではなく、その要旨を逸脱しない範囲において、種々なる態様で実施しうる。
【実施例１】
【０００８】
<概要>
本件発明のディスクドライブ装置は、主にディスクを縦置きに配置されるローディング機構に用い、異なる径のディスクを区別してそれぞれ正位置にローディング可能なように構成されている。正位置へのローディングは、ディスクの径を測定する等のセンサ利用をすることなく、ディスクと部品との当接のタイミングに応じてディスクを正位置へ導くようになっている。以下本件発明の構成について説明する。
【０００９】
<構成>
（全般）
本件発明のディスクドライブ装置は、異なる径のディスクを区別してそれぞれ正位置にローディング可能な縦置トレイ方式のディスクドライブ装置であって、トレイ部と、駆動部と、ディスクガイドアームと、スライド突起と、スライドレバーとを有する。以下、これらについて、その作用とともに順次説明する。
【００１０】
図１は、本件発明のディスクドライブ装置の外観の一例を示す図である。筐体ケース０１１３がディスクドライブ装置０１００の全体を覆うとともに、筺体内部への引き込み及び筺体内部からの引き出しが可能なトレイ０１０１が設けられている。
【００１１】
図２は、筺体を除去した状態での本件発明のディスクドライブ装置を示す図である。本図では、簡単のために１２ｃｍディスク０２０２ａと８ｃｍディスク０２０２ｂを仮想的に重ねた状態を示している。実際にはこのうちどちらか一方のディスクを載置してローディング動作を行うことになる。
本図のトレイ０２０１は、筺体（以下「べース」ということがある）０２０３から引き出された状態になっており、ディスクは、ディスクガイドアーム（Ｌ）０２０４、ディスクガイドアーム（Ｒ）０２０５上の案内片（Ｌ）０２０４ａ及び案内片（Ｒ）０２０５ａに当接し、これらによって支持されている。本図の例では、８ｃｍディスクはどちらの案内片にも当接していない状態が描かれている。
【００１２】
本件発明では、この案内片（Ｌ）と案内片（Ｒ）とを有するディスクガイドアームの動きに特徴があるので、まず、ディスクガイドアームの動きの概略について説明する。
なお、本件発明の説明に際しては、異なる径のディスクの例として専ら１２ｃｍディスクと８ｃｍディスクの例で説明するが、ディスク径は１２ｃｍと８ｃｍの組合せに限られず、他の寸法の組合せであってもよい。即ち、本件発明のディスクドライブ装置は、比較的大径のディスクと比較的小径のディスクに幅広く対応可能である。
【００１３】
図３は、本件発明のディスクドライブ装置の全体概要図である。本図でも０３０１トレイがベース０３０３から引き出された状態になっている。ディスクの図示は省略した。（ａ）は正面（表面）図、（ｂ）は背面（裏面）図である。（ａ）に示すように、ベースにはディスク案内片０３０３ｂが形成されている。また、ディスクポケット０３１２が設けられていてもよい。さらに（ｂ）に示すように、トレイの背面側にはスライドレバー０３０６が備えられている。
【００１４】
以下に各部品の構成と結合関係を詳細に説明する。
（駆動部）
図６は、本件発明のディスクドライブ装置の駆動部の一例を示す正面図である。ベース０６０３は図示しないディスクの信号の読取・書込を光学的に行うピックアップとディスクを回転させるスピンドルモーターと、ピックアップをディスクの内周・外周に移動させるフィードモーターを備えたトラバースメカを支持している。このトラバースメカはトレイ移動時にはトレイと当接しない様に退避し、トレイの筺体内への移動が完了後、ディスク面方向に移動し、ディスクの読取・書込み動作を行う。
シフター０６０８はこのトラバースメカの移動を行い、ベースによってＣＤ方向に移動可能に支持されている。シフターには、本図上部においてピン０６０８ｃが形成され、このピンは図７を用いて後述するトレイの案内溝０７０１ｃに挿嵌される。本図下方部にはラック０６０８ｂとスライドレバー係合片０６０８ａとを備える。スライドレバー係合片は図１０を用いて後述するスライドレバー１００６の係合ピン１００６ｄと係合する。またベースにはトレイを動作させるモーターと、モーターに連結されトレイ及びシフターのラック部と噛合する駆動ギヤ０６０７とを含むギヤ群が固定あるいは支持される。
ベースには、本図右上方部にディスク案内片０６０３ｂが形成され、本図右下方部には（後述するスライドレバー１００６の当接片１００６ｄと当接する）スライドレバー当接ピン０６０３ａを備える。
【００１５】
（トレイ部）
図７は、トレイの形状の一例を示す正面図である。トレイ０７０１は図示されないベースによってＡＢ方向に移動可能に支持される。
トレイには正面側の本図右方向にディスクが挿入される凹部０７０１ａが形成される。また背面側には本図上方部にシフター（図示されない）のピン（図示されない）を挿嵌する案内溝０７０１ｃが形成され、下方部にはラック０７０１ｂが形成されている。
また表側の下方左側にはディスクガイドアーム（Ｌ）（図示されない）に回転支点となる円筒状のボス０７０１ｄが形成され、裏側にはディスクガイドアーム（図示されない）の回転支点となる略円筒状のボス０７０１ｅと、スライドレバー（図示されない）をＡＢ方向に移動案内する略円筒状の案内ボス０７０１ｆ１、０７０１ｆ２が形成されている。トレイの本図右下方には表裏を貫通する開口孔０７０１ｇが形成され、ディスクガイドアーム（Ｒ）の案内片（Ｒ）がこの開口孔に沿って移動することでディスクガイドアーム（Ｒ）がディスクと当接可能になっている。トレイの本図左下方には表裏を貫通する開口孔０７０１ｈが形成され、ディスクガイドアーム（Ｌ）のスライド突起（Ｌ）がこの開口孔に沿って移動することでディスクガイドアーム（Ｌ）がスライドレバーのスライド溝と係合可能になっている。
【００１６】
（ディスクガイドアーム（Ｌ））
図８は、ディスクガイドアーム（Ｌ）の形状の一例を示す図である。このうち（ａ）は正面図であり、（ｂ）は正面側からの斜視図である。ディスクガイドアーム（Ｌ）０８０４の先端部分には、案内片（Ｌ）０８０４ａが設けられており、また反対側の先端付近には、ディスクガイドアーム（Ｌ）を軸支するための軸配置部０８０４ｃが設けられており、図７に示したトレイ０７０１のディスクガイドアーム（Ｌ）支点ボス０７０１ｄに挿嵌され、当該ボスを中心として回転可能にトレイに支持されている。中央部にはスライドレバーと係合してディスクガイドアーム（Ｌ）０８０４の案内片（Ｌ）０８０４ａの位置を制御するスライド突起（Ｌ）０８０４ｂが配置されている。軸配置部には環状のばねが取り付けられており、ディスクガイドアーム（Ｌ）をディスクガイドアーム（Ｌ）支点ボスを中心として正面側から見て反時計回り方向に付勢している。
【００１７】
（ディスクガイドアーム（Ｒ））
図９は、ディスクガイドアーム（Ｒ）の形状の一例を示す図である。このうち（ａ）は正面図であり、（ｂ）は背面側からの斜視図である。ディスクガイドアーム（Ｒ）０９０５の先端部分には、案内片（Ｒ）０９０５ａが設けられており、また反対側には、ディスクガイドアーム（Ｒ）を軸支するための軸配置部０９０５ｃが設けられており、図７に示したトレイ０７０１のボス０７０１ｅに挿嵌され、ボス０７０１ｅを中心として回転可能にトレイに支持されている。中央部にはスライドレバーと係合してディスクダイドアーム（Ｒ）０９０５の案内片（Ｒ）０９０５ａの位置を制御するスライド突起（Ｒ）０９０５ｂが配置されている。軸配置部から更に先端部には環状のばねの一端が掛けられており、ディスクガイドアーム（Ｒ）を図７に示したトレイボス０７０１ｄを中心として正面側から見て反時計回り方向に付勢している。
【００１８】
（スライドレバー）
図１０はスライドレバーの形状の一例を示す図である。このうち（ａ）は正面図であり、（ｂ）は正面側からの斜視図であり、（ｃ）は背面側からの斜視図である。スライドレバー１００６は長孔状のガイド溝１００６ｅ１、１００６ｅ２が図７に示したトレイ０７０１のボス０７０１ｆ１、０７０１ｆ２にそれぞれ挿嵌され、水平方向で左右方向すなわちトレイの移動方向に移動可能にトレイに支持される。スライドレバーには、ディスクガイドアーム（Ｌ）のスライド突起（Ｌ）を案内するためのスライド溝（Ｌ）１００６ａ及びディスクガイドアーム（Ｒ）のスライド突起（Ｒ）を案内するためのスライド溝１００６ｂが設けられている。これらのスライド溝は、本図に示す正面側から見て略逆Ｌ字形に設けられており、分岐点から斜め上方にスライド突起を案内する溝（イ）、（エ）が８ｃｍディスクに対応するもの、分岐点から水平方向にスライド突起を案内する溝（ア）、（ウ）が１２ｃｍディスクに対応するものである。また、それぞれのスライド溝は終端で僅かな降下（傾斜）を示しているが、これによって各ディスクがスピンドルモーターに装着された後、案内片がディスクから退避されるようになっている。また、左側にはスライドレバーを付勢するためのばね（図示されない）が掛けられ、スライドレバーをトレイに対して左側方向に付勢している。
【００１９】
（トレイとスライドレバー及びディスクガイドアーム（Ｌ）とディスクガイドアーム（Ｒ）の結合状態）
図１１にトレイ１１０１とスライドレバー１１０６及びディスクガイドアーム（Ｌ）１１０４とディスクガイドアーム（Ｒ）１１０５の結合状態を示す。このうち（ａ）は正面図、（ｂ）は背面図である。
ディスクガイドアーム（Ｌ）は、トレイのボス１１０１ｄと軸配置部１１０４ｃが挿嵌され、ボス１１０１ｄを中心として回転可能にトレイの表側に回転可能に支持されている。ディスクガイドアーム（Ｒ）はトレイのボス１１０１ｅと軸配置部１１０５ｃが挿嵌され、ボス１１０１ｅを中心として回転可能にトレイの裏側に回転可能に支持されている。スライドレバーは長孔状のガイド溝１１０６ｅ１、１１０６ｅ２がトレイのボス１１０１ｆ１、１１０１ｆ２にそれぞれ挿嵌され、水平方向で左右方向すなわちトレイの移動方向に移動可能にトレイの裏側に支持される。
【００２０】
ディスクガイドアーム（Ｌ）１１０４とディスクガイドアーム（Ｒ）１１０５は、それぞればね１１０９、１１１０によってトレイに対して反時計回り方向に付勢されている。この付勢力はディスクを押し上げるだけの付勢力がありかつ後述するスライドレバー１１０６の動作負荷を出来る限り抑える様に適当な付勢力が与えられる。ディスクガイドアームのそれぞれのスライド突起（Ｌ）１１０４ｂとスライド突起（Ｒ）１１０５ｂはスライドレバーのスライド溝１１０６ａ、１１０６ｂにそれぞれ係合し、案内片（Ｌ）１１０４ａ、１１０５ａの位置が適宜の位置になる様に設定される。スライドレバーはトレイに取り付けられたばね１１１１によって正面側から見て左方向に付勢されている。このばねの付勢力は、後述するように、図１０に示したスライドレバーの当接片１００６ｃと図６に示したベース０６０３の当接ピン０６０３ａの当接が外れた場合に、確実にスライドレバーを初期位置に復帰させる様に適当な付勢力が与えられる。
【００２１】
また、トレイ１１０１のディスクが挿入される凹部１１０１ａとディスクガイドアーム（Ｌ）１１０４を表側から覆う様にディスクポケット（図示を省略）がトレイに固定されていることが望ましい。このディスクポケットについては後述する。
【００２２】
（動作）
上記構成において、本実施例での動作を図６、図７、図１０、図１１を用いて以下に説明する。
トレイが装置外方に引き出された状態は図１１の状態であり、スライドレバー１１０６はばね１１１１の付勢力によって左方に移動した状態にあり、ディスクガイドアーム（Ｌ）１１０４とディスクガイドアーム（Ｒ）１１０５はディスクガイドアームのそれぞれのスライド突起（Ｌ）１１０４ｂとスライド突起（Ｒ）１１０５ｂがスライドレバー１１０６のスライド溝１１０６ａ、１１０６ｂにそれぞれ係合することによりばね１１０９、１１１０の付勢力に抗して時計回り方向に回転し、案内片（Ｌ）１１０４ａ、１１０５ａは下方に移動された状態にある。
【００２３】
この状態において、操作者がディスクの挿入等を行い、図示しない操作釦を操作することによってモーターに電圧が印加されモーターが回転し、図６に示すようにギヤ群を介し駆動ギヤ０６０７とトレイ０６０１のラック０６０８ｂとが噛合することによってトレイが装置内方に移動する。トレイが装置内方へ移動し、移動途中にて図１１のスライドレバー１１０６の当接片１１０６ｃと図６に示したベース０６０３のスライドレバー当接ピン０６０３ａが当接し、この時点でスライドレバー１１０６の装置内方への移動が停止する。トレイは更に装置内方へ移動する為、スライドレバーはトレイに対しては正面側から見て右方向にばね１１１１の付勢に抗して移動することとなる。
更にトレイが装置内方に移動すると、トレイ１１０１の案内溝１１０１ｃと図６に示すシフター０６０８の案内ピン０６０８ｃが係合することにより、トレイ１１０１の右端部の傾斜部により正面側から見て下方向に移動を始めシフター０６０８のラック部０６０８ｂが駆動ギヤ０６０７と噛合する。さらにモーターが回転するとトレイのラックと駆動ギヤの噛合が外れ、トレイの移動が止まり、スライドレバーのトレイ上での移動も止まることとなる。シフターは更に正面側下方向への移動を行ない、シフターと係合する図示しないディスク読み取りを行なうトラバースメカがトレイ方向へ移動し、ディスクと係合しディスクを回転させるターンテーブルがディスクと係合する。更にシフターが正面側下方向へ移動するとシフターのスライドレバー係合片０６０８ａと図１０に示すスライドレバーの係合ピン１００６ｄと係合する。シフターのスライドレバー係合片０６０８ａの傾斜部に沿って係合ピン１００６ｄが摺動し、スライドレバーは図１１の正面側から見て右方向にばね１１１１の付勢に抗して移動する。シフターが任意の位置まで移動すると図示しないＳＷ等の位置認識部材によってモーターへの電圧印加が停止し、シフターの動作が止まり、ローディング動作完了となる。
【００２４】
トレイの装置外方への移動は、前記動作と逆方向の動作を行う。
モーターに逆方向への電圧が印加され、図６に示したシフター０６０８は正面側上方向に移動する。シフターのスライドレバー係合片０６０８ａと図１０に示したスライドレバーの係合ピン１００６ｄとの係合が外れ、スライドレバーはばね１１１１の付勢力によって正面側から見て左方向に移動する。
更にシフターが正面側上方向に移動するとトラバースメカがトレイから退避する。
【００２５】
更にシフターが正面側上方向に移動するとトレイ１１０１の案内溝１１０１ｃの右端部の傾斜部とシフターの案内ピン０６０８ｃが係合することにより、トレイ１１０１は正面側右方向に移動し、トレイのラック部１１０１ｂと図６に示す駆動ギヤ０６０７とが噛合し始め、モーターからの駆動力によってトレイ１１０１は装置外方向である正面側右方向に移動する。トレイ１１０１の右方向への移動により、ばね１１１１の付勢力によってスライドレバー１１０６はトレイに対して左方向に移動する（装置に対してはスライドレバーは移動しない。トレイが移動する為、相対的にトレイに対してスライドレバーが移動する）。
【００２６】
トレイ１１０１が正面側右方向に移動すると、シフター０６０８のラック部０６０８ｂと駆動ギヤ０６０７の噛合が外れ、シフターの移動が停止する。
トレイが更に装置外方向に移動し、スライドレバー１１０６がばね１１１１の付勢力によってトレイに対して左方向に移動しトレイとスライドレバーの位置関係が初期状態まで戻る位置までトレイが移動すると、スライドレバーの当接片１１０６ｃとベース０６０３のスライドレバー当接ピン０６０３ａとの当接が外れ、トレイとスライドレバーの位置関係が保持された状態でトレイが更に装置外方向に移動する。トレイがディスク挿入できる位置まで移動し、トレイの案内溝１１０１ｃの左方部の傾斜部によってシフター０６０８が正面側上方向に移動すると図示しないＳＷ等の位置認識部材によってモーターへの電圧印加が停止し、トレイの装置外方向への移動が止まる。
【００２７】
（ディスクガイドアーム（Ｌ）とディスクガイドアーム（Ｒ）の移動・係合関係）
８ｃｍ、１２ｃｍディスクそれぞれの載置時におけるディスクガイドアーム（Ｌ）とディスクガイドアーム（Ｒ）の移動・係合関係を図４、図５を用い、詳細に説明する。
【００２８】
（１２ｃｍディスクの時のディスクガイドアームの動作）
図４Ａから図４Ｅは１２ｃｍディスクでの各位置における各部品の係合関係を示す正面図である。
図４Ａはトレイ０４０１が装置外方に引き出された状態でディスク挿入・取り出しを行う位置である。スライドレバー０４０６はばね０４１１の付勢力によって左方に移動した状態にあり、ディスクガイドアーム（Ｌ）０４０４とディスクガイドアーム（Ｒ）０４０５はディスクガイドアームのそれぞれのスライド突起（Ｌ）０４０４ｂとスライド突起（Ｒ）０４０５ｂがスライドレバーのスライド溝０４０６ａ、０４０６ｂにそれぞれ係合することによりばね０４０９、０４１０の付勢力に抗して時計回り方向に回転し、案内片（Ｌ）０４０４ａ、案内片（Ｒ）０４０５ａは下方に移動された状態にある。操作者は例えば図示されないトレイディスクポケットとトレイの凹部０４０１ａの間にディスク０４０２ａを挿入する。
【００２９】
この状態からトレイ０４０１が装置内方（Ａ方向）に移動する。
図４Ｂはスライドレバー０４０６の当接片０４０６ｃとベースのスライドレバー当接ピン０４０３ａとが当接を開始する位置までトレイがＡ方向に移動した位置である。スライドレバーの当接片とベースのスライドレバー当接ピンが当接し、この時点でスライドレバーの装置内方への移動が停止する。すなわち、トレイは更に装置内方へ移動する為、この位置はトレイとスライドレバーの移動が開始される位置である。この状態でディスク０４０２ａは装置内に移動しており、ディスクはベースに形成されたディスク案内片０４０３ｂの正面側下方向（Ｄ方向）で外周がディスク案内片の近傍に位置している。
【００３０】
この状態からトレイが更に装置内方へ移動し、ベースのスライドレバー当接ピンと当接したスライドレバーが相対的にトレイ上で移動すると、ディスクガイドアーム（Ｌ）０４０４とディスクガイドアーム（Ｒ）０４０５のそれぞれのスライド突起（Ｌ）０４０４ａとスライド突起（Ｒ）０４０５ｂはスライドレバーのそれぞれのスライド溝０４０６ａ、０４０６ｂの分岐部に移動する。
図４Ｃはこの状態を示す。ディスクガイドアーム（Ｌ）０４０４とディスクガイドアーム（Ｒ）０４０５はばね０４０９、０４１０の付勢力によって反時計回り方向（Ｈ方向）に回転しようと、すなわち案内片（Ｌ）０４０４ａ、案内片（Ｒ）０４０５ａがディスク０４０２ａを正面側上方向（Ｃ方向）に移動させようとディスクに付勢力を与えるが、ディスクはディスク案内片と当接し、移動を規制され、ディスクガイドアーム（Ｌ）とディスクガイドアーム（Ｒ）の回転動作も規制されることとなり、トレイが装置内方向へ更に移動すると、スライド突起（Ｌ）０４０４ｂとスライド突起（Ｒ）０４０５ｂはスライドレバーのそれぞれのスライド溝の下側案内溝（ア）、（ウ）に案内されることとなる。
【００３１】
更にモーターが回転し、トレイが装置内方に移動し、所定の位置まで移動するとトレイの移動は停止し、シフター０４０８が正面側下方向（Ｄ方向）に移動し始める。ディスクがターンテーブルに確実にチャッキングされるようにするため、案内片（Ｌ）０４０６ａ、案内片（Ｒ）０４０６ｂを位置させる様にスライドレバーのそれぞれのスライド溝０４０６ａ、０４０６ｂの下側案内溝（ア）、（ウ）が形成されている。さらにトレイの筺体内への移動が完了すると、図示しないトラバースメカがディスク面方向に移動する。
図４Ｄはトラバースメカが移動を完了し、ディスクがターンテーブルにチャッキングされた位置である。
【００３２】
ディスクがチャッキングした後、更にモーターが回転しシフター０４０８が正面側下方向（Ｄ方向）に移動すると、スライドレバー０４０６はシフターのスライドレバー係合片０６０８ａと係合ピン１００６ｄと係合し、スライドレバーは正面側から見て右方向（Ｂ方向）にばね０４１１の付勢に抗して移動する。スライドレバーの移動に伴い、スライド突起（Ｌ）とスライド突起（Ｒ）はスライドレバーのそれぞれのスライド溝の下側案内溝（ア）、（ウ）の傾斜部に係合し、ディスクガイドアーム（Ｌ）とディスクガイドアーム（Ｒ）は時計回り方向（Ｇ方向）に回転し、案内片（Ｌ）０４０４ａ、案内片（Ｒ）０４０５ａはディスク０４０２ａから退避し、ディスクが回転可能にターンテーブルに支持される。
図４Ｅはこの状態であり、ローディング完了状態となる。
【００３３】
トレイ０４０１の装置外方に移動する際には、上記と逆方向の移動を行う。
モーターの逆方向の回転に伴い、シフター０４０８が正面側上方向（Ｃ方向）に移動すると、スライドレバー０４０６は、シフター０４０８のスライドレバー係合片０４０８ａと係合ピン０４０６ｄとの係合が外れ、ばね０４１１の付勢力により正面側から見て左方向（Ａ方向）に移動し、スライド突起（Ｌ）０４０４ｂとスライド突起（Ｒ）０４０５ｂはスライドレバー０４０６のスライド溝０４０６ａ、０４０６ｂの下側案内溝（ア）、（ウ）の傾斜部から平坦部に移動し、ディスクガイドアーム（Ｌ）０４０４とディスクガイドアーム（Ｒ）０４０５は反時計回り方向（Ｈ方向）に回転し、案内片（Ｌ）０４０４ａ、案内片（Ｒ）０４０５ａはディスク０４０２ａに当接する。更にシフター０４０８が正面側上方向（Ｃ方向）に移動すると、図示しないトラバースメカはトレイ０４０１側から退避方向に移動し、図示しないターンテーブルはディスク０４０２ａから退避し、ディスク０４０２ａは案内片（Ｌ）０４０４ａ、案内片（Ｒ）０４０５ａによって支持される。
【００３４】
更にシフター０４０６が移動するとトレイ０４０１は正面側から見て右方向（Ｂ方向）に移動し、スライドレバー０４０６はばね０４１１の付勢力により正面側から見て左方向（Ａ方向）に移動する。更にトレイ０４０１が右方向（Ｂ方向）に移動するとディスクガイドアーム（Ｌ）０４０４とディスクガイドアーム（Ｒ）０４０５のそれぞれのスライド突起（Ｌ）０４０４ｂとスライド突起（Ｒ）０４０５ｂはスライドレバー０４０６のスライド溝０４０６ａ、０４０６ｂの分岐部に移動する。ディスクガイドアーム（Ｌ）０４０４とディスクガイドアーム（Ｒ）０４０５はディスク０４０２ａがディスク案内片０４０３ｂと当接するために回転移動を規制され、トレイ０４０１が装置外方向（Ｂ方向）へ更に移動すると、スライド突起（Ｌ）０４０４ｂとスライド突起（Ｒ）０４０５ｂはスライドレバー０４０６のスライド溝０４０６ａ、０４０６ｂの初期位置に案内されることとなり、ディスクガイドアーム（Ｌ）０４０４とディスクガイドアーム（Ｒ）０４０５の案内片（Ｌ）０４０４ａ、案内片（Ｒ）０４０５ａは下側に位置した状態でトレイ０４０１及びディスク０４０２ａがディスク挿入・取り出しを行う位置に移動する。
【００３５】
（８ｃｍディスクの時のディスクガイドアームの動作）
図５Ａから図５Ｅは８ｃｍディスクでの各位置における各部品の係合関係を示す正面図である。
図５Ａはトレイが装置外方に引き出された状態でディスク挿入・取り出しを行なう位置である。スライドレバー０５０６はばね０５１１の付勢力によって左方に移動した状態にあり、ディスクガイドアーム（Ｌ）０５０４とディスクガイドアーム（Ｒ）０５０５はディスクガイドアームのそれぞれのスライド突起（Ｌ）０５０４ｂとスライド突起（Ｒ）０５０５ｂがスライドレバー０５０６のスライド溝０５０６ａ、０５０６ｂにそれぞれ係合することによりばね０５０９、０５１０の付勢力に抗して時計回り方向に回転し、案内片（Ｌ）０５０４ａ、案内片（Ｒ）０５０５ａは下方に移動された状態にある。操作者はトレイディスクポケット１２とトレイの凹部０５０１ａの間にディスクを挿入する。
小径のディスク０５０２ｂは曲率の違いにより案内片（Ｌ）０５０４ａ、案内片（Ｒ）０５０５ａの位置によってはディスクが正面側下方向に位置する為、ディスク０５０２ｂは取出し易さ等を考慮して案内片（Ｌ）０５０４ａ、０５０５ａではなく、ディスクポケット（図示されない）あるいはトレイ０５０１からの突起もしくはスライドレバー０５０６からの突起で支持してもよい。
【００３６】
この状態からトレイ０５０１が装置内方（Ａ方向）に移動する。
図５Ｂはスライドレバー０５０６の当接片０５０６ｃとベース０５０３のスライドレバー当接ピン０５０３ａとが当接を開始する位置までトレイ０５０１がＡ方向に移動した位置である。スライドレバー０５０６の当接片０５０６ｃとベース０５０３のスライドレバー当接ピン０５０３ａが当接し、この時点でスライドレバー０５０６の装置内方への移動が停止する。すなわち、トレイ０５０１は更に装置内方へ移動する為、トレイ０５０１とスライドレバー０５０６の移動が開始される位置である。この状態でディスク０５０２ｂは装置内に移動しており、ディスクはベース０５０３に形成されたディスク案内片０５０３ｂの正面側下方向（Ｄ方向）に位置するが、ディスク０５０２ｂとディスク案内片０５０３ｂは十分に離間している。
【００３７】
この状態からトレイ０５０１が更に装置内方へ移動し、ベース０５０３のスライドレバー当接ピン０５０３ａと当接したスライドレバー０５０６が相対的にトレイ０５０１上で移動すると、ディスクガイドアーム（Ｌ）０５０４とディスクガイドアーム（Ｒ）０５０５のそれぞれのスライド突起（Ｌ）０５０４ｂとスライド突起（Ｒ）０５０５ｂはスライドレバーのスライド溝０５０６ａ、０５０６ｂの分岐部に移動する。
図５Ｃはこの状態を示す。ディスクガイドアーム（Ｌ）０５０４とディスクガイドアーム（Ｒ）０５０５はばね０５０９、０５１０の付勢力によって反時計回り方向（Ｈ方向）に回転し、案内片（Ｌ）０５０４ａ、案内片（Ｒ）０５０５ａによりディスク０５０２ｂは正面側上方向（Ｃ方向）に移動することとなり、トレイ０５０１が装置内方向へ更に移動すると、スライド突起（Ｌ）０５０４ｂとスライド突起（Ｒ）０５０５ｂはスライドレバーのスライド溝０５０６ａ、０５０６ｂの上側案内溝（イ）、（エ）に案内されることとなる。
【００３８】
更にモーターが回転し、トレイ０５０１が装置内方に移動し、所定の位置まで移動するとトレイ０５０１の移動は停止し、シフター０５０８が正面側下方向（Ｄ方向）に移動し始める。ディスク０５０２ｂがターンテーブルに確実にチャッキングされる様に、案内片（Ｌ）０５０４ａ、案内片（Ｒ）０５０５ａを位置させる様にスライドレバーのスライド溝０５０６ａ、０５０６ｂの上側案内溝（イ）、（エ）が形成されている。さらにトレイの筺体内への移動が完了すると、図示しないトラバースメカがディスク面方向に移動する。
図５Ｄはトラバースメカが移動を完了し、ディスクがターンテーブルにチャッキングされた位置である。
【００３９】
ディスク０５０２ｂがチャッキングした後、更にモーターが回転しシフター０５０８が正面側下方向（Ｄ方向）に移動すると、スライドレバー０５０６は、図６に示したシフター０６０８のスライドレバー係合片０６０８ａと図１０に示す係合ピン１００６ｄと係合し、スライドレバー０５０６は正面側から見て右方向（Ｂ方向）にばね０５１１の付勢に抗して移動する。スライドレバー０５０６の移動に伴い、スライド突起（Ｌ）０５０４ｂとスライド突起（Ｒ）０５０５ｂはスライドレバーのスライド溝０５０６ａ、０５０６ｂの上側案内溝（イ）、（エ）の左端部の傾斜部に係合し、ディスクガイドアーム（Ｌ）０５０４とディスクガイドアーム（Ｒ）０５０５は時計回り方向（Ｇ方向）に回転し、案内片（Ｌ）０５０４ａ、案内片（Ｒ）０５０５ａはディスク０５０２ｂから退避し、ディスク０５０２ｂが回転可能にターンテーブルに支持される。
図５Ｅはこの状態であり、ローディング完了状態となる。
【００４０】
トレイ０５０１の装置外方に移動する際には、上記と逆方向の移動を行う。
モーターの逆方向の回転に伴い、シフター０５０８が正面側上方向（Ｃ方向）に移動すると、スライドレバー０５０６は、シフター０５０８のスライドレバー係合片０５０８ａと係合ピン０５０６ｄとの係合が外れ、ばね０５１１の付勢力により正面側から見て左方向（Ａ方向）に移動し、スライド突起（Ｌ）０５０４ｂとスライド突起（Ｒ）０５０５ｂはスライドレバーのスライド溝０５０６ａ、０５０６ｂの上側案内溝（イ）、（エ）の左端傾斜部から平坦部に移動し、ディスクガイドアーム（Ｌ）０５０４とディスクガイドアーム（Ｒ）０５０５は反時計回り方向（Ｈ方向）に回転し、案内片（Ｌ）０５０４ａ、案内片（Ｒ）０５０５ａはディスク０５０２ｂに当接する。更にシフター０５０８が正面側上方向（Ｃ方向）に移動すると、図示しないトラバースメカはトレイ０５０１側から退避方向に移動し、図示しないターンテーブルはディスク０５０２ｂから退避し、ディスク０５０２ｂは案内片（Ｌ）０５０４ａ、案内片（Ｒ）０５０５ａによって支持される。
【００４１】
更にシフター０５０８が移動するとトレイ０５０１は正面側から見て右方向（Ｂ方向）に移動し、スライドレバー０５０６はばね０５１１の付勢力により正面側から見て左方向（Ａ方向）に移動する。更にトレイ０５０１が右方向（Ｂ方向）に移動するとディスクガイドアーム（Ｌ）０５０４とディスクガイドアーム（Ｒ）０５０５のそれぞれのスライド突起（Ｌ）０５０４ｂとスライド突起（Ｒ）０５０５ｂはスライドレバーのスライド溝０５０６ａ、０５０６ｂの上側案内溝（イ）、（エ）の右側傾斜部と当接し、ばね０５１１の付勢力に伴うスライドレバー０５０６の移動により、傾斜に添って摺動し、トレイ０５０１が装置外方向（Ｂ方向）へ更に移動すると、スライド突起（Ｌ）０５０４ｂとスライド突起（Ｒ）０５０５ｂはスライドレバーのスライド溝０５０６ａ、０５０６ｂの初期位置に案内されることとなり、ディスクガイドアーム（Ｌ）０５０４とディスクガイドアーム（Ｒ）０５０５の案内片（Ｌ）０５０４ａ、案内片（Ｒ）０５０５ａは下側に位置した状態でトレイ０５０１及びディスクがディスク挿入・取り出しを行う位置に移動する。
【００４２】
（ディスクポケット）
既述のように、本件発明のディスク装置はディスクポケットを有することが望ましい。このディスクポケットは、トレイに設けられ、トレイとともにディスクを緩やかに挟みこみディスク載置時のディスク転倒を防止するように構成される。
図１３は、ディスクポケットの形状の一例を示す。このうち、（ａ）は正面図、（ｂ）は正面側からの斜視図、（ｃ）は背面側からの斜視図である。具体的には、ディスクポケット１３１２にはトレイに取り付けられる為の複数のボス１３１２ｄと複数の爪１３１２ｅが設けられ、ディスクの倒れを防止する為の突起１３１２ｂが設けられる。また下側には主に８ｃｍディスクを支持する為のリブ１３１２ｃが設けられても良い。また上側中央にはディスクを取り出しやすくする為の円弧状の縁部１３１２ａが形成されても良い。これにより、単にディスクをポケット内に挿入するだけで自然にディスクが案内片の上に当接させられるようにディスクの位置が規制されることになるので、さらに操作性を向上させることが可能となる。
【００４３】
図１２は、ディスクポケット１２１２を有するディスク装置１２００の外観の一例を示す。本図は、図４Ａなどと同様、装置筺体１２０３から引き出されたトレイ１２０１にディスク１２０２が載置された状態であり、ローディング動作の初期状態である。
かかる構成により、上述のスライドレバー、ディスクガイドアーム等を利用して異なる径のディスクを区別してそれぞれ正位置にローディング可能な縦置トレイ方式のディスクドライブ装置の提供をより好適に実現することが可能となる。
【００４４】
<効果>
本実施例の発明により、ユーザがトレイにディスクを載置する際に、異なる径のディスクをそれぞれ所定の位置に設置する必要がなく、操作性に優れたディスクドライブ装置を提供することが可能となる。
【図面の簡単な説明】
【００４５】
【図１】本件発明のディスクドライブ装置の外観の一例を示す図
【図２】筺体を除去した状態での本件発明のディスクドライブ装置を示す図
【図３】ディスクポケット設けられた軸にディスクガイドアームが軸支されている状態の一例を示す図
【図４Ａ】１２ｃｍディスクでの各位置における各部品の係合関係を示す正面図
【図４Ｂ】１２ｃｍディスクでの各位置における各部品の係合関係を示す正面図
【図４Ｃ】１２ｃｍディスクでの各位置における各部品の係合関係を示す正面図
【図４Ｄ】１２ｃｍディスクでの各位置における各部品の係合関係を示す正面図
【図４Ｅ】１２ｃｍディスクでの各位置における各部品の係合関係を示す正面図
【図５Ａ】８ｃｍディスクでの各位置における各部品の係合関係を示す正面図
【図５Ｂ】８ｃｍディスクでの各位置における各部品の係合関係を示す正面図
【図５Ｃ】８ｃｍディスクでの各位置における各部品の係合関係を示す正面図
【図５Ｄ】８ｃｍディスクでの各位置における各部品の係合関係を示す正面図
【図５Ｅ】８ｃｍディスクでの各位置における各部品の係合関係を示す正面図
【図６】本件発明のディスクドライブ装置の駆動部の一例を示す正面図
【図７】トレイの形状の一例を示す正面図
【図８】ディスクガイドアーム（Ｌ）の形状の一例を示す図
【図９】ディスクガイドアーム（Ｒ）の形状の一例を示す図
【図１０】スライドレバーの形状の一例を示す図
【図１１】トレイとスライドレバー及びディスクガイドアーム（Ｌ）とディスクガイドアーム（Ｒ）の結合状態を示す図
【図１２】ディスクポケットを有するディスク装置の外観の一例を示す図
【図１３】ディスクポケットの形状の一例を示す図
【符号の説明】
【００４６】
０２００      ディスクドライブ装置
０２０１      トレイ
０２０２ａ    １２ｃｍディスク
０２０２ｂ    ８ｃｍディスク
０２０３      筐体（ベース）
０２０４      ディスクガイドアーム（Ｌ）
０２０４ａ    案内片（Ｌ）
０２０５      ディスクガイドアーム（Ｒ）
０２０５ａ    案内片（Ｒ）
【図１】
2009223960.tif 000003
【図２】
2009223960.tif 000004
【図３】
2009223960.tif 000005
【図４Ａ】
2009223960.tif 000006
【図４Ｂ】
2009223960.tif 000007
【図４Ｃ】
2009223960.tif 000008
【図４Ｄ】
2009223960.tif 000009
【図４Ｅ】
2009223960.tif 000010
【図５Ａ】
2009223960.tif 000011
【図５Ｂ】
2009223960.tif 000012
【図５Ｃ】
2009223960.tif 000013
【図５Ｄ】
2009223960.tif 000014
【図５Ｅ】
2009223960.tif 000015
【図６】
2009223960.tif 000016
【図７】
2009223960.tif 000017
【図８】
2009223960.tif 000018
【図９】
2009223960.tif 000019
【図１０】
2009223960.tif 000020
【図１１】
2009223960.tif 000021
【図１２】
2009223960.tif 000022
【図１３】
2009223960.tif 000023